(57)【要約】  【課題】着座者の肘の動きを邪魔しないように背もたれ部を構成するような椅子を提供する。  【解決手段】着座フレーム４の後方に設けられた背もたれフレーム５に張り部材９を設けて構成した椅子１において、この張り部材９の側縁よりも内側に背もたれ上部フレーム５５の一対の縦フレーム部分５６を張り部材９から離して設けるとともに、背もたれ上部フレーム５５および背もたれ下部フレーム５０によって張り部材９を支持するようにし、これによって、張り部材９の側縁部分の動きを自由にさせる。  【選択図】図１
2007307426.tif 000002
【特許請求の範囲】
【請求項１】
身体接触面を構成する張り部材を、左右に離間した一対の縦フレームを介して支持させてなる背凭れを有する椅子であって、
前記一対の縦フレームを、前記張り部材の左右の側縁よりも内側に、かつ張り部材の裏面から離して設けていることを特徴とする椅子。
【請求項２】
左右方向に伸び前記一対の縦フレームの上端部を相互に連結する連結部を設けている請求項１記載の椅子。
【請求項３】
前記一対の縦フレーム及び前記連結部を前記張り部材の裏面側に露出させている請求項２記載の椅子。
【請求項４】
前記張り部材の左右の側縁及び上縁に沿って伸びる薄板状の弾性片を設けている請求項１、２または３記載の椅子。
【請求項５】
前記張り部材の左右の側縁及び下縁に沿って伸びる薄板状の弾性片を設けている請求項１、２、３または４記載の椅子。
【発明の詳細な説明】
【技術分野】
【０００１】
本発明は、椅子の構造に関する。
【背景技術】
【０００２】
現在、オフィスなどで使用されている椅子では、表面および裏面にクッションや合成樹脂製のアウターシェルなどを設けるようにしたものや、また、布地などで構成した張り部材を背もたれ部の枠体に取り付けて、背もたれ部における通気性を良くするようにしたものなどが存在している。
【０００３】
ところで、近年の椅子は、長時間の作業に対する着座者の疲労を和らげるように、身体接触面をできる限り大きく確保するような傾向があり、また、これに対応して、座の後方から着座者の肩付近に亘って広い範囲に背もたれ部を設けるようにしている。
【発明の開示】
【発明が解決しようとする課題】
【０００４】
しかし、このように背もたれ部を大きく確保すると、アウターシェルなどに固定されたクッションや張り部材を取り付けたフレーム状の枠体などに着座者の肘部分が当たってしまうため、例えば、座席後方の荷物を取るために振り返り動作を行なうような場合や、腕を下方に広げてリフレッシュ動作をするような場合、その肘の動きが拘束されてしまうという問題を有していた。
【０００５】
そこで、本発明は、上記問題に着目してなされたもので、張り部材の側縁がアウターシェルなどで拘束されることのない構造の椅子を提供することを目的とするものである。
【課題を解決するための手段】
【０００６】
上記課題を解決するために、本発明では、身体接触面を構成する張り部材を、左右に離間した一対の縦フレームを介して支持させてなる背凭れを有する椅子であって、前記一対の縦フレームを、前記張り部材の左右の側縁よりも内側に、かつ張り部材の裏面から離して設けていることを特徴とする椅子を構成した。このようなものであれば、張り部材の側縁がアウターシェルなどで拘束されることがなくなり、これによって着座者の肘の動きを自由にさせることができる。そして、張り部材の撓みを許容するための空間部を有するように背もたれフレームを設ければ、着座者の肘の動きに対する許容範囲を大きく確保することができ、更に、この張り部材の撓みによるクッション性も同時に確保することができる。
【０００７】
また、張り部材の側縁より内側に背もたれフレームを設けるようにする場合、張り部材の裏面に一本の背もたれフレームを設けることも考えられるが、より好適には、複数本の背もたれフレームを設けるようにすると良い。このように構成した場合は、背もたれ動作に基づく捩れを防止することができ、背もたれ部を安定させることができる。
【０００８】
左右方向に伸び前記一対の縦フレームの上端部を相互に連結する連結部を設けていれば、背もたれフレーム間の捩れなどを防止して強度を保たせることができるようになる。特に、連結部を利用して背もたれフレームの先端側をループ形状に構成し、このループ形状に構成された部分に張り部材を取り付けるようにした場合、一本の横フレームを設けて張り部材を取り付けるのに比して、そのフレーム端部の尖った部分を露出させることがなくなる。
【０００９】
前記一対の縦フレーム及び前記連結部を前記張り部材の裏面側に露出させていれば、連結部付近に手を掛けて椅子の持ち運びを容易にできる。
【００１０】
好ましくは、前記張り部材の左右の側縁及び上縁に沿って伸びる薄板状の弾性片を設け、及び／または、前記張り部材の左右の側縁及び下縁に沿って伸びる薄板状の弾性片を設ける。
【発明の効果】
【００１１】
本発明によれば、張り部材の側縁がアウターシェルなどで拘束されることがない。
【発明を実施するための最良の形態】
【００１２】
以下、本発明の一実施の形態について図面を参照して説明する。図１は、本発明の一実施の形態を示す椅子１の要部を示す斜視図であり、図２は、椅子１の背面を示した図である。
【００１３】
この椅子１は、ベース脚２に取り付けられた支基３と、この支基３に取り付けられたリンク６およびリンク７とを設け、更に、このリンク６およびリンク７に取り付けられた着座部を構成する着座フレーム４と、この着座フレーム４の後方に設けられた背もたれフレーム５とを設けて成るものである。また、これ以外に適宜クッション４１などを取り付けて構成するようにしているが、本実施の形態では、このクッション４１を省略して説明する。
【００１４】
支基３は、逆三角形状のアルミ部材で構成したものであり、その下側をベース脚２に取り付けるとともに、その先端部分に軸６１を介してリンク６を取り付けて構成したものである。このリンク６は、着座フレーム４の前方両側の軸４０および軸６１とによって回転しながら動くようにしたものであり、また、このリンク６の上端に設けられた軸４０には、支基３との間にガススプリング９０を設けて、図示しないレバーの操作によって、このガススプリング９０を固定状態とフリー状態とに切り替えて背もたれフレーム５の傾きを変えられるようにしている。また、支基３の略中央部分には、トーションバー７２が設けられており、この延長方向にある軸７１にリンク７の一端を固定するようにしている。このリンク７は、軸７１から斜め後方に延びる金属部材によって構成されたものであり、このリンク７の他端側を着座フレーム４の後部に設けられたフレーム部分に回転可能に取り付けるようにしたものである。なお、このリンク７は、トーションバー７２の弾性力によってリンク７の軸８側を椅子１の前方側（Ｂ側）に回転させるようにしている。
【００１５】
また、このリンク７の上部裏面側には、背もたれ上部フレーム５５との間にガススプリング９１を取り付けており、常時このガスの力によって背もたれ上部フレーム５５を前方側（Ｂ側）に押圧するようにしている。また、このガススプリング９１の近傍には、ガススプリング９１の軸を挟み込んで固定するための図示しない機構が設けられており、この機構によってガススプリング９１をフリー状態と固定状態とに切り替えられるようにしている。
【００１６】
また、このように軸８を介して取り付けられた背もたれ上部フレーム５５の内側には、リンク７に設けられた軸７０を介して背もたれ下部フレーム５０を回転可能に取り付けている。この背もたれ下部フレーム５０は、リンク７の略延長方向上に延びる坐骨対応フレーム５１と、この坐骨対応フレーム５１の上部に設けられた連結部５３と、この連結部５３の両端から骨対応フレーム５１に対して略直角上方に延びる腰骨対応フレーム５２とによって構成されたものである。この連結部５３は、左右の背もたれ上部フレーム５５の間隔より広く設定されており、さらに、腰骨対応フレーム５２と連結部５３とに弾性片９３ｄを取り付けられるようにしている。この弾性片９３ｄは、薄板状の合成樹脂によって上向きに開口する略コの字状に形成されたものであり、連結部５３や腰骨対応フレーム５２の下端部分に取り付けるとともに、この弾性片９３ｄの自由端側を腰骨対応フレーム５２の湾曲部５２a上で撓むことができるようにしている。なお、連結部５３には、着座フレーム４との間にガススプリング９２を取り付けており、このガススプリング９２の軸の長さを変更することによって背もたれ下部フレーム５０の下端部を中心に回転させ、着座者の腰骨や坐骨部分を押圧できるようにしている。
【００１７】
背もたれ上部フレーム５５は、椅子１の背面側に露出して設けられたものであり、軸８から連結部５３の下方を通ってその後方で屈曲させ、二本の背もたれ下部フレーム５０の間の後方を通って、着座部の肘付近の上方まで縦フレーム部分５６を延ばすようにしたものである。また、この縦フレーム部分５６の上部側に、左右のフレームを連結するための連結部５５ｄを設け、この連結部５５ｄの部分から互いのフレームを広げるように前方に屈曲させて肩縦フレーム部分５７を設けるとともに、その上端部に連結部５５ｕを設けることによって、全体として背もたれ上部フレーム５５を構成するようにしている。このように、連結部５５ｄ、５５ｕおよび左右の肩縦フレーム部分５７によって構成されるループ状の肩支持部を左右の縦フレーム部分５６の上部に設けることによって、背もたれ上部フレーム５５に対する捩れを防止して強度を保たせるとともに、この背もたれ上部フレーム５５を露出させることによって、連結部５５ｄ付近に手を掛けて椅子１の持ち運びを容易にできるようにしている。また、この連結部５５ｕには、背もたれ下部フレーム５０に設けられた弾性片９３ｄに対向して薄板状の弾性片９３ｕが取り付けられており、この弾性片９３ｕの自由端側を、対向する弾性片９３ｄの自由端上にオーバーラップさせるようにしている。
【００１８】
この弾性片９３ｕ・９３ｄには、その上部もしくはこの弾性片９３ｕ、９３ｄを包むように張り部材９が設けられており、この張り部材９によって着座者の肘の動きを拘束しないような身体接触面を構成するようにしている。すなわち、この張り部材９は、その下端部を弾性片９３ｄとともに連結部５３に取り付けられており、また、上端部についても、軸７１もしくは軸８によって選択的に回転しうる背もたれ上部フレーム５５の連結部５５ｕに弾性片９３ｕと共に取り付けられている。これによって、張り部材９と背もたれ上部フレーム５５との間に形成された空間部Ｓに向けて肘近傍の左右側縁を自由に撓ませるようにしている。
【００１９】
次に、このように構成された椅子１の使用状態について図３および図４を用いて説明する。
【００２０】
椅子１に着座者が着座して張り部材９にもたれると、張り部材９が弾性片９３ｕ、９３ｄとともに撓むように変形する。また、この椅子１の背もたれ部分を後傾させた場合、すなわち、ガススプリング９０をフリー状態にするとともにガススプリング９１を固定してリンク７と一体として背もたれフレーム５全体を後傾させた場合（図３）や、また、ガススプリング９０を固定状態にするとともにガススプリング９１をフリー状態にして背もたれ上部フレーム５５のみを軸８を中心として後傾させた場合（図４）についても、張り部材９や弾性片９３ｕ、９３ｄに対する撓みを許容させる。そして、このような状態で着座者が腕を後下方に伸ばしてリフレッシュするような場合、この着座者の肘部分に接触する張り部材９や弾性片９３ｕ、９３ｄが変形して、その着座者のリフレッシュ動作に基づく肘の動きを許容できるようにしている。なお、このようなリフレッシュ動作に限らず、この着座者が椅子１の後方に振り返って荷物などを取るような動作をする場合も同様に、この着座者の肘部分に接触する張り部材９や弾性片９３ｕ、９３ｄを変形できるようにしている。
【００２１】
本実施形態によれば、身体接触面を構成する張り部材９を、左右に離間した一対の縦フレームを介して支持させてなる背凭れを有する椅子であって、前記一対の縦フレームを平行に、前記張り部材９の左右の側縁よりも内側に、かつ張り部材９の裏面から離して設けているため、従来のように背もたれ部の側縁がアウターシェルなどで拘束されることがない。これによって着座者の肘の動きを自由にさせることができるようになる。また、張り部材９の撓みを許容するための空間部Ｓを有するように背もたれ上部フレーム５５を設けたので、着座者の肘の動きに対する許容範囲を大きく確保することができ、更に、この張り部材９の撓みによるクッション性も同時に確保することができるようになる。
【００２２】
左右方向に伸び前記一対の縦フレームの上端部を相互に連結する連結部５５ｕ、５５ｄを設けている、特に、張り部材９を取り付けるようにした背もたれ上部フレーム５５として、二本のフレームによって背もたれ上部フレーム５５を構成するとともに、この上部に連結部５５ｕ、５５ｄとによってループ状の部分を構成するようにしたので、着座者の肩近傍を支えつつ、背もたれ上部フレーム５５に対する捩れなどを防止することができるようになる。
【００２３】
前記一対の縦フレーム及び前記連結部５５ｕ、５５ｄを前記張り部材の裏面側に露出させているため、連結部５５ｄ付近に手を掛けて椅子１の持ち運びを容易にできる。
【００２４】
前記張り部材９の左右の側縁及び上縁に沿って伸びる薄板状の弾性片９３ｕ、張り部材９の左右の側縁及び下縁に沿って伸びる薄板状の弾性片９３ｄを設けているため、張り部材９と背もたれ上部フレーム５５との間に形成された空間部Ｓに向けて肘近傍の左右側縁を自由に撓ませることが可能である。
【００２５】
なお、本発明は以上に詳述した実施形態に限られるものではなく、各部の具体的構成は本発明の趣旨を逸脱しない範囲で種々変更することができる。
【００２６】
例えば、本実施の形態では、背もたれ上部フレーム５５として二本の縦フレーム部分５６を設けるようにしたが、これを一本の縦フレームで構成してもよく、また、張り部材９と縦フレーム部分５６との間に空間部Ｓを設けるようにしたが、これに限らず、縦フレーム部分にクッション部材などを挟んで背当たり感を良くするとともに、着座者の肘に対する動きも許容させるようにしても良い。
【図面の簡単な説明】
【００２７】
【図１】本発明の一実施の形態を示す椅子の要部斜視図。
【図２】同実施の形態を示す椅子の背面図。
【図３】同実施の形態における使用状態を示す側面図。
【図４】同実施の形態における使用状態を示す側面図。
【符号の説明】
【００２８】
１…椅子
４…着座部（着座フレーム）
５…背もたれ部（背もたれフレーム）
５０…背もたれ部（背もたれ下部フレーム）
５５…背もたれ部（背もたれ上部フレーム）
５６…背もたれ部（縦フレーム部分）
５５ｕ、５５ｄ…背もたれ部（連結部）
５７…背もたれ部（肩縦フレーム部分）
Ｓ…空間部
【図１】
2007307426.tif 000003
【図２】
2007307426.tif 000004
【図３】
2007307426.tif 000005
【図４】
2007307426.tif 000006